(57)【特許請求の範囲】
【請求項１】
色再現目的色の視覚の三刺激値またはその該三刺激値の換算刺激値（以下「目的色刺激値等」という）から、該色再現目的色を再現するための分解４原色量の決定方法であって、
（ａ）目的色刺激値等（Ｘt，Ｙt，Ｚt）を取得する再現目的色取得ステップ、
（ｂ）該目的色刺激値等（Ｘt，Ｙt，Ｚt）から、以下の（ｂ−１）乃至（ｂ−３）の手順により光学濃度（ＤL,t，ＤM,t，ＤS,t）を算出する再現目的色濃度算出ステップ、
（ｂ−１）Ｘw，Ｙw，Ｚwをそれぞれ白色点のＸ，Ｙ，Ｚの値とし、式１により（Ｘt，Ｙt，Ｚt）を、光に対する人間の錐体の応答モデル（Ｌ’，Ｍ’，Ｓ’）に変換する。
【式１】
0004075408.tif 000007
（ｂ−２）ｋ1、ｋ2を所定の定数とし、Ｌ＝Ｌ’／｛（１−ｋ1）（１−ｋ2）＋ｋ2Ｌ’｝、Ｍ＝Ｍ’／｛（１−ｋ1）（１−ｋ2）＋ｋ2Ｍ’｝、Ｓ＝Ｓ’／｛（１−ｋ1）（１−ｋ2）＋ｋ2Ｓ’｝の関係式により（Ｌ’，Ｍ’，Ｓ’）から、（Ｌ，Ｍ，Ｓ）を算出する。
（ｂ−３）ＤL,t＝−ｌｎ（Ｌ）／ｌｎ（１０．０）、ＤM,t＝−ｌｎ（Ｍ）／ｌｎ（１０．０）、ＤS,t＝−ｌｎ（Ｓ）／ｌｎ（１０．０）の関係式により、（Ｌ，Ｍ，Ｓ）から濃度値（ＤL,t，ＤM,t，ＤS,t）を算出する。
（ｃ）該色再現目的色の再現に用いる４原色（ｃ，ｍ，ｙ，ｋ）それぞれの視覚の三刺激値またはその該三刺激値の換算刺激値（以下「４原色刺激値等」という）である網点面積率１００％のときの（Ｘi，Ｙi，Ｚi）（ｉ＝ｃ，ｍ，ｙ，ｋ）、および網点面積率ｘi％のときの濃度係数Ｐi（ｘi）（ただし、０≦Ｐi（ｘi）≦１）を取得する原色色特性取得ステップ、
（ｄ）該４原色刺激値等（Ｘi，Ｙi，Ｚi）から、前記（ｂ−１）乃至（ｂ−３）と同様の手順により光学濃度（ＤL,i，ＤM,i，ＤS,i）を算出する原色濃度特性算出ステップ、
（ｅ）該色再現目的色を再現するための、４原色中の墨量の使用度合いである墨加刷量ｒを単一の所定値（ただし０≦ｒ≦１）として取得する墨加刷率取得ステップ、
（ｆ）該色再現目的色を再現するための、該４原色の各色の濃度を、以下の（ｆ−１）乃至（ｆ−７）の手順により、前記再現目的色濃度（ＤL,t，ＤM,t，ＤS,t）、前記原色濃度（ＤL,i，ＤM,i，ＤS,i）および前記墨加刷量ｒから算出する原色濃度算出ステップ、
（ｆ−１）該４原色の濃度に対する重みＷiを０≦Ｗi≦１（ｉ＝ｃ，ｍ，ｙ，ｋ）として、（ＤL,t，ＤM,t，ＤS,t）を式２により表す。
【式２】
0004075408.tif 000008
（ｆ−２）式２の最終項を移項して、式３を得る。
【式３】
0004075408.tif 000009
（ｆ−３）式３の３×３行列の逆行列を定義して式４を得る。
【式４】
0004075408.tif 000010
（ｆ−４）式４よりＷj（ｊ＝ｃ，ｍ，ｙ）をＷkの関数とする関係式を得る。
（ｆ−５）０≦Ｗj≦１（ｊ＝ｃ，ｍ，ｙ）を満たすＷk（０≦Ｗk≦１）の最小値をＷk,min、最大値をＷk,maxを求め、Ｗk,r＝ｒ（Ｗk,max−Ｗk,min）＋Ｗk,minを算出する。
（ｆ−６）（ｆ−４）で得られた関係式を使って、Ｗk,rに対応するＷj,r（ｊ＝ｃ，ｍ，ｙ）を求める。
（ｆ−７）前記の４原色の各色の濃度を（Ｗi,r ＤL,i ，Ｗi,r ＤM,i ，Ｗi,r ＤS,i ）（ｉ＝ｃ，ｍ，ｙ，ｋ）とする。
（ｇ）前記（ｃ）で取得した網点面積率ｘi％のときの濃度係数Ｐi（ｘi）、および前記（ｆ）で算出した４原色の各色の濃度より、４原色の網点面積率を算出する原色量算出ステップ、
以上の（ａ）乃至（ｇ）を全て経ることを特徴とする分解４原色量の決定方法。
【請求項２】
墨加刷量ｒを、目的色刺激値等のうちのＹtの関数ｒ＝０（Ｙt＞Ｙth），ｒ＝１−Ｙt／Ｙth（Ｙt≦Ｙth），（ただしＹthは任意の閾値）として取得することを特徴とする請求項１記載の分解４原色量の決定方法。
【請求項３】
色再現目的色の視覚の三刺激値またはその該三刺激値の換算刺激値（以下「目的色刺激値等」という）から、該色再現目的色を再現するための分解４原色量の決定装置であって、
（ｈ）目的色刺激値等（Ｘt，Ｙt，Ｚt）を取得する再現目的色取得手段、
（ｉ）該目的色刺激値等（Ｘt，Ｙt，Ｚt）から、以下の（ｉ−１）乃至（ｉ−３）の手順により光学濃度（ＤL,t，ＤM,t，ＤS,t）を算出する再現目的色濃度算出手段、
（ｉ−１）Ｘw，Ｙw，Ｚwをそれぞれ白色点のＸ，Ｙ，Ｚの値とし、請求項１記載の式１により（Ｘt，Ｙt，Ｚt）を、光に対する人間の錐体の応答モデル（Ｌ’，Ｍ’，Ｓ’）に変換する。
（ｉ−２）ｋ1、ｋ2を所定の定数とし、Ｌ＝Ｌ’／｛（１−ｋ1）（１−ｋ2）＋ｋ2Ｌ’｝、Ｍ＝Ｍ’／｛（１−ｋ1）（１−ｋ2）＋ｋ2Ｍ’｝、Ｓ＝Ｓ’／｛（１−ｋ1）（１−ｋ2）＋ｋ2Ｓ’｝の関係式により（Ｌ’，Ｍ’，Ｓ’）から、（Ｌ，Ｍ，Ｓ）を算出する。
（ｉ−３）ＤL,t＝−ｌｎ（Ｌ）／ｌｎ（１０．０）、ＤM,t＝−ｌｎ（Ｍ）／ｌｎ（１０．０）、ＤS,t＝−ｌｎ（Ｓ）／ｌｎ（１０．０）の関係式により、（Ｌ，Ｍ，Ｓ）から濃度値（ＤL,t，ＤM,t，ＤS,t）を算出する。
（ｊ）該色再現目的色の再現に用いる４原色（ｃ，ｍ，ｙ，ｋ）それぞれの視覚の三刺激値またはその該三刺激値の換算刺激値（以下「４原色刺激値等」という）である網点面積率１００％のときの（Ｘi，Ｙi，Ｚi）（ｉ＝ｃ，ｍ，ｙ，ｋ）、および網点面積率ｘi％のときの濃度係数Ｐi（ｘi）（ただし、０≦Ｐi（ｘi）≦１）を取得する原色色特性取得手段、
（ｋ）該４原色刺激値等（Ｘi，Ｙi，Ｚi）から、前記（ｉ−１）乃至（ｉ−３）と同様の手順により光学濃度（ＤL,i，ＤM,i，ＤS,i）を算出する原色濃度特性算出手段、
（ｌ）該色再現目的色を再現するための、４原色中の墨量の使用度合いである墨加刷量ｒを単一の所定値（ただし０≦ｒ≦１）として取得する墨加刷率取得手段、
（ｍ）該色再現目的色を再現するための、該４原色の各色の濃度を、以下の（ｍ−１）乃至（ｍ−７）の手順により、前記再現目的色濃度（ＤL,t，ＤM,t，ＤS,t）、前記原色濃度（ＤL,i，ＤM,i，ＤS,i）および前記墨加刷量ｒから算出する原色濃度算出手段、
（ｍ−１）該４原色の濃度に対する重みＷiを０≦Ｗi≦１（ｉ＝ｃ，ｍ，ｙ，ｋ）として、（ＤL,t，ＤM,t，ＤS,t）を請求項１記載の式２により表す。
（ｍ−２）式２の最終項を移項して、請求項１記載の式３を得る。
（ｍ−３）式３の３×３行列の逆行列を定義して請求項１記載の式４を得る。
（ｍ−４）式４よりＷj（ｊ＝ｃ，ｍ，ｙ）をＷkの関数とする関係式を得る。
（ｍ−５）０≦Ｗj≦１（ｊ＝ｃ，ｍ，ｙ）を満たすＷk（０≦Ｗk≦１）の最小値をＷk,min、最大値をＷk,maxを求め、Ｗk,r＝ｒ（Ｗk,max−Ｗk,min）＋Ｗk,minを算出する。
（ｍ−６）（ｍ−４）で得られた関係式を使って、Ｗk,rに対応するＷj,r（ｊ＝ｃ，ｍ，ｙ）を求める。
（ｍ−７）前記の４原色の各色の濃度を（Ｗi,r ＤL,i ，Ｗi,r ＤM,i ，Ｗi,r ＤS,i ）（ｉ＝ｃ，ｍ，ｙ，ｋ）とする。
（ｎ）前記（ｊ）で取得した網点面積率ｘi％のときの濃度係数Ｐi（ｘi）、および前記（ｍ）で算出した４原色の各色の濃度より、４原色の網点面積率を算出する原色量算出手段、
以上の（ｈ）乃至（ｎ）を全て具備することを特徴とする分解４原色量の決定装置。
【請求項４】
墨加刷量ｒを、目的色刺激値等のうちのＹtの関数ｒ＝０（Ｙt＞Ｙth），ｒ＝１−Ｙt／Ｙth（Ｙt≦Ｙth），（ただしＹthは任意の閾値）として取得することを特徴とする請求項３記載の分解４原色量の決定装置。
【請求項５】
色再現目的色の視覚の三刺激値またはその該三刺激値の換算刺激値（以下「目的色刺激値等」という）から、該色再現目的色を再現するための分解４原色量の組み合わせを決定するプログラムを記録したコンピュータ読み取り可能な情報記録媒体であって、
（ｏ）目的色刺激値等（Ｘt，Ｙt，Ｚt）を取得する再現目的色取得ステップ、
（ｐ）目的色刺激値等（Ｘt，Ｙt，Ｚt）から、以下の（ｐ−１）乃至（ｐ−３）の手順により光学濃度（ＤL,t，ＤM,t，ＤS,t）を算出する再現目的色濃度算出ステップ、
（ｐ−１）Ｘw，Ｙw，Ｚwをそれぞれ白色点のＸ，Ｙ，Ｚの値とし、請求項１記載の式１により（Ｘt，Ｙt，Ｚt）を、光に対する人間の錐体の応答モデル（Ｌ’，Ｍ’，Ｓ’）に変換する。
（ｐ−２）ｋ1、ｋ2を所定の定数とし、Ｌ＝Ｌ’／｛（１−ｋ1）（１−ｋ2）＋ｋ2Ｌ’｝、Ｍ＝Ｍ’／｛（１−ｋ1）（１−ｋ2）＋ｋ2Ｍ’｝、Ｓ＝Ｓ’／｛（１−ｋ1）（１−ｋ2）＋ｋ2Ｓ’｝の関係式により（Ｌ’，Ｍ’，Ｓ’）から、（Ｌ，Ｍ，Ｓ）を算出する。
（ｐ−３）ＤL,t＝−ｌｎ（Ｌ）／ｌｎ（１０．０）、ＤM,t＝−ｌｎ（Ｍ）／ｌｎ（１０．０）、ＤS,t＝−ｌｎ（Ｓ）／ｌｎ（１０．０）の関係式により、（Ｌ，Ｍ，Ｓ）から濃度値（ＤL,t，ＤM,t，ＤS,t）を算出する。
（ｑ）該色再現目的色の再現に用いる４原色（ｃ，ｍ，ｙ，ｋ）それぞれの視覚の三刺激値またはその該三刺激値の換算刺激値（以下「４原色刺激値等」という）である網点面積率１００％のときの（Ｘi，Ｙi，Ｚi）（ｉ＝ｃ，ｍ，ｙ，ｋ）、および網点面積率ｘi％のときの濃度係数Ｐi（ｘi）（ただし、０≦Ｐi（ｘi）≦１）を取得する原色色特性取得ステップ、
（ｒ）該４原色刺激値等（Ｘi，Ｙi，Ｚi）から、前記（ｐ−１）乃至（ｐ−３）と同様の手順により光学濃度（ＤL,i，ＤM,i，ＤS,i）を算出する原色濃度特性算出ステップ、
（ｓ）該色再現目的色を再現するための、４原色中の墨量の使用度合いである墨加刷量ｒを単一の所定値（ただし０≦ｒ≦１）として取得する墨加刷率取得ステップ、
（ｔ）該色再現目的色を再現するための、該４原色の各色の濃度を、以下の（ｔ−１）乃至（ｔ−７）の手順により、前記再現目的色濃度（ＤL,t，ＤM,t，ＤS,t）、前記原色濃度（ＤL,i，ＤM,i，ＤS,i）および前記墨加刷量ｒから算出する原色濃度算出ステップ、
（ｔ−１）該４原色の濃度に対する重みＷiを０≦Ｗi≦１（ｉ＝ｃ，ｍ，ｙ，ｋ）として、（ＤL,t，ＤM,t，ＤS,t）を請求項１記載の式２により表す。
（ｔ−２）式２の最終項を移項して、請求項１記載の式３を得る。
（ｔ−３）式３の３×３行列の逆行列を定義して請求項１記載の式４を得る。
（ｔ−４）式４よりＷj（ｊ＝ｃ，ｍ，ｙ）をＷkの関数とする関係式を得る。
（ｔ−５）０≦Ｗj≦１（ｊ＝ｃ，ｍ，ｙ）を満たすＷk（０≦Ｗk≦１）の最小値をＷk,min、最大値をＷk,maxを求め、Ｗk,r＝ｒ（Ｗk,max−Ｗk,min）＋Ｗk,minを算出する。
（ｔ−６）（ｔ−４）で得られた関係式を使って、Ｗk,rに対応するＷj,r（ｊ＝ｃ，ｍ，ｙ）を求める。
（ｔ−７）前記の４原色の各色の濃度を（Ｗi,r ＤL,i ，Ｗi,r ＤM,i ，Ｗi,r ＤS,i ）（ｉ＝ｃ，ｍ，ｙ，ｋ）とする。
（ｕ）前記（ｑ）で取得した網点面積率ｘi％のときの濃度係数Ｐi（ｘi）、および前記（ｔ）で算出した４原色の各色の濃度より、４原色の網点面積率を算出する原色量算出ステップ、
以上の（ｏ）乃至（ｕ）を全て経ることを特徴とする分解４原色量決定プログラムを記録したコンピュータ読み取り可能な情報記録媒体。
【請求項６】
墨加刷量ｒを、目的色刺激値等のうちのＹtの関数ｒ＝０（Ｙt＞Ｙth），ｒ＝１−Ｙt／Ｙth（Ｙt≦Ｙth），（ただしＹthは任意の閾値）として取得することを特徴とする請求項５記載の分解４原色量決定プログラムを記録したコンピュータ読み取り可能な情報記録媒体。
【請求項７】
色再現目的色の視覚の三刺激値またはその該三刺激値の換算刺激値（以下「目的色刺激値等」という）から、該色再現目的色を再現するための分解４原色量決定プログラムであって、
（ｖ）目的色刺激値等（Ｘt，Ｙt，Ｚt）を取得する再現目的色取得ステップ、
（ｗ）目的色刺激値等（Ｘt，Ｙt，Ｚt）から、以下の（ｗ−１）乃至（ｗ−３）の手順により光学濃度（ＤL,t，ＤM,t，ＤS,t）を算出する再現目的色濃度算出ステップ、
（ｗ−１）Ｘw，Ｙw，Ｚwをそれぞれ白色点のＸ，Ｙ，Ｚの値とし、請求項１記載の式１により（Ｘt，Ｙt，Ｚt）を、光に対する人間の錐体の応答モデル（Ｌ’，Ｍ’，Ｓ’）に変換する。
（ｗ−２）ｋ1、ｋ2を所定の定数とし、Ｌ＝Ｌ’／｛（１−ｋ1）（１−ｋ2）＋ｋ2Ｌ’｝、Ｍ＝Ｍ’／｛（１−ｋ1）（１−ｋ2）＋ｋ2Ｍ’｝、Ｓ＝Ｓ’／｛（１−ｋ1）（１−ｋ2）＋ｋ2Ｓ’｝の関係式により（Ｌ’，Ｍ’，Ｓ’）から、（Ｌ，Ｍ，Ｓ）を算出する。
（ｗ−３）ＤL,t＝−ｌｎ（Ｌ）／ｌｎ（１０．０）、ＤM,t＝−ｌｎ（Ｍ）／ｌｎ（１０．０）、ＤS,t＝−ｌｎ（Ｓ）／ｌｎ（１０．０）の関係式により、（Ｌ，Ｍ，Ｓ）から濃度値（ＤL,t，ＤM,t，ＤS,t）を算出する。
（ｘ）該色再現目的色の再現に用いる４原色（ｃ，ｍ，ｙ，ｋ）それぞれの視覚の三刺激値またはその該三刺激値の換算刺激値（以下「４原色刺激値等」という）である網点面積率１００％のときの（Ｘi，Ｙi，Ｚi）（ｉ＝ｃ，ｍ，ｙ，ｋ）、および網点面積率ｘi％のときの濃度係数Ｐi（ｘi）（ただし、０≦Ｐi（ｘi）≦１）を取得する原色色特性取得ステップ、
（ｙ）４原色刺激値等（Ｘi，Ｙi，Ｚi）から、前記（ｗ−１）乃至（ｗ−３）と同様の手順により光学濃度（ＤL,i，ＤM,i，ＤS,i）を算出する原色濃度特性算出ステップ、
（ｚ）該色再現目的色を再現するための、４原色中の墨量の使用度合いである墨加刷量ｒを単一の所定値（ただし０≦ｒ≦１）として取得する墨加刷率取得ステップ、
（α）該色再現目的色を再現するための、該４原色の各色の濃度を、以下の（α−１）乃至（α−７）の手順により、前記再現目的色濃度（ＤL,t，ＤM,t，ＤS,t）、前記原色濃度（ＤL,i，ＤM,i，ＤS,i）および前記墨加刷量ｒから算出する原色濃度算出ステップ、
（α−１）該４原色の濃度に対する重みＷiを０≦Ｗi≦１（ｉ＝ｃ，ｍ，ｙ，ｋ）として、（ＤL,t，ＤM,t，ＤS,t）を請求項１記載の式２により表す。
（α−２）式２の最終項を移項して、請求項１記載の式３を得る。
（α−３）式３の３×３行列の逆行列を定義して請求項１記載の式４を得る。
（α−４）式４よりＷj（ｊ＝ｃ，ｍ，ｙ）をＷkの関数とする関係式を得る。
（α−５）０≦Ｗj≦１（ｊ＝ｃ，ｍ，ｙ）を満たすＷk（０≦Ｗk≦１）の最小値をＷk,min、最大値をＷk,maxを求め、Ｗk,r＝ｒ（Ｗk,max−Ｗk,min）＋Ｗk,minを算出する。
（α−６）（α−４）で得られた関係式を使って、Ｗk,rに対応するＷj,r（ｊ＝ｃ，ｍ，ｙ）を求める。
（α−７）前記の４原色の各色の濃度を（Ｗi,r ＤL,i ，Ｗi,r ＤM,i ，Ｗi,r ＤS,i ）（ｉ＝ｃ，ｍ，ｙ，ｋ）とする。
（β）前記（ｘ）で取得した網点面積率ｘi％のときの濃度係数Ｐi（ｘi）、および前記（α）で算出した４原色の各色の濃度より、４原色の網点面積率を算出する原色量算出ステップ、
以上の（ｖ）乃至（β）を全て経ることを特徴とする分解４原色量決定プログラム。
【請求項８】
墨加刷量ｒを、目的色刺激値等のうちのＹtの関数ｒ＝０（Ｙt＞Ｙth），ｒ＝１−Ｙt／Ｙth（Ｙt≦Ｙth），（ただしＹthは任意の閾値）として取得することを特徴とする請求項７記載の分解４原色量決定プログラム。
【発明の詳細な説明】
【０００１】
【発明の属する技術分野】
本発明は、多色刷り印刷やカラープリンタ等において、所望する色に関して視覚の三刺激値またはそれを変換することによって得られる任意の色特定要素が与えられたときに、その色を再現するための原色の量を決定する方法に関するものである。
【０００２】
【従来の技術】
再現目的色とする視覚の三刺激値（Ｘ、Ｙ、Ｚ）から、この色を再現するための分解色、すなわちシアン（ｃ）、マゼンタ（ｍ）、イエロー（ｙ）、ブラック（ｋ）の量を求める問題は、３次の入力から４次の出力を求める不定問題となる。
【０００３】
この不定問題の解を求める方法として、まず３次の入力（Ｘ、Ｙ、Ｚ）から３次の出力（ｃ、ｍ、ｙ）を求め、ｋは（ｃ、ｍ、ｙ）の値に従属して決定する手法がある。従来の色分解で用いられている手法としては、ＵＣＲ（ｕｎｄｅｒ  ｃｏｌｏｒ  ｒｅｍｏｖａｌ）、ＵＣＡ（ｕｎｄｅｒ  ｃｏｌｏｒ  ａｄｄｉｔｉｏｎ）、ＧＣＲ（ｇｒａｙ  ｃｏｍｐｏｎｅｎｔ  ｒｅｐｒａｃｅｍｅｎｔ）等があり、例えば、ＵＣＲと呼ばれる方法では、ｋ’＝ｂ×ｍｉｎ（ｃ，ｍ，ｙ）、ｃ’＝ｃ−ｕｋ’、ｍ’＝ｍ−ｕｋ’、ｙ’＝ｙ−ｕｙ’、０≦ｂ≦１、０≦ｕ≦１という関係式により、墨版の量を決定している。
【０００４】
なお、この式においてｂはｂｌａｃｋ  ｒａｔｅ、ｕはｕｎｄｅｒ  ｃｏｌｏｒ  ｒｅｍｏｖａｌ  ｒａｔｅであり、ｃ’、ｍ’、ｙ’、ｋ’はＵＣＲによる４色分解の結果を示している。
【０００５】
すなわち、従来のＵＣＲでは、与えられた（ｃ、ｍ、ｙ）からｋを決定し、そのｋを用いて（ｃ、ｍ、ｙ）を再計算することによって、（ｃ、ｍ、ｙ、ｋ）の組み合わせを求めている。この計算にあたっては、網点面積率やデバイスの信号値が利用される。
【０００６】
しかしながらこれらの方法では、３色（ｃ、ｍ、ｙ）から４色（ｃ、ｍ、ｙ、ｋ）への変換が、網点面積率もしくはデバイスの信号値の空間で行われるため、測色的な精度が不十分であった。
【０００７】
また、他の方法として、一意の解を得るために任意の墨量ｋをはじめに決定する方法がある。例えば、再現目的色とする視覚の三刺激値（Ｘ、Ｙ、Ｚ）の関数として墨量ｋを決定し、これと残る３成分ｃ、ｍ、ｙを合わせた（ｃ、ｍ、ｙ、ｋ）の色が再現目的色と一致するように逐次近似法によってｃ、ｍ、ｙの最適解を探索する方法である。
【０００８】
しかし、本来であれば分解４原色（ｃ、ｍ、ｙ、ｋ）の最適な組み合わせによって再現することが可能な再現目的色であっても、墨量ｋの決定の仕方によっては、残りの３成分ｃ、ｍ、ｙをいかに最適化しても再現することができなくなる可能性があり、印刷品質の低下につながる。
【０００９】
【発明が解決しようとする課題】
本発明は前記従来の技術が持つ問題点に鑑みなされたものであって、その目的とするところは、再現目的色の視覚の三刺激値またはその該三刺激値の換算刺激値（以下「目的色刺激値等」という）を再現するために必要かつ十分な墨量を任意に決定することにより、本来不定問題である分解４原色量を実用上十分な精度で決定することを可能とする分解４原色量の決定方法、及びそれに好適な分解４原色量の決定装置、並びに分解４原色量決定プログラムを記録したコンピュータ読み取り可能な情報記録媒体を提供することにある。
【００１０】
【課題を解決するための手段】
前記課題を解決するために本発明が提供する手段は、まず請求項１の発明にあっては、目的色刺激値等から、該色再現目的色を再現するための分解４原色量の決定方法であって、
（ａ）目的色刺激値等（Ｘt，Ｙt，Ｚt）を取得する再現目的色取得ステップ、
（ｂ）該目的色刺激値等（Ｘt，Ｙt，Ｚt）から、光学濃度（ＤL,t，ＤM,t，ＤS,t）を算出する再現目的色濃度算出ステップ、
（ｃ）該色再現目的色の再現に用いる４原色（ｃ，ｍ，ｙ，ｋ）それぞれの視覚の三刺激値またはその該三刺激値の換算刺激値（以下「４原色刺激値等」という）である網点面積率１００％のときの（Ｘi，Ｙi，Ｚi）（ｉ＝ｃ，ｍ，ｙ，ｋ）、および網点面積率ｘi％のときの濃度係数Ｐi（ｘi）（ただし、０≦Ｐi（ｘi）≦１）を取得する原色色特性取得ステップ、
（ｄ）該４原色刺激値等（Ｘi，Ｙi，Ｚi）から、光学濃度（ＤL,i，ＤM,i，ＤS,i）を算出する原色濃度特性算出ステップ、
（ｅ）該色再現目的色を再現するための、４原色中の墨量の使用度合いである墨加刷量ｒを単一の所定値（ただし０≦ｒ≦１）として取得する墨加刷率取得ステップ、
（ｆ）該色再現目的色を再現するための、該４原色の各色の濃度を前記再現目的色濃度（ＤL,t，ＤM,t，ＤS,t）、前記原色濃度（ＤL,i，ＤM,i，ＤS,i）および前記墨加刷量ｒから算出する原色濃度算出ステップ、
（ｇ）前記（ｃ）で取得した網点面積率ｘi％のときの濃度係数Ｐi（ｘi）、および前記（ｆ）で算出した４原色の各色の濃度より、４原色の網点面積率を算出する原色量算出ステップ、
以上の（ａ）〜（ｇ）の全てを具備することを特徴とする分解４原色量の決定方法である。
【００１１】
また、請求項２に記載の発明にあっては、墨加刷量ｒを、目的色刺激値等のうちのＹtの関数ｒ＝０（Ｙt＞Ｙth），ｒ＝１−Ｙt／Ｙth（Ｙt≦Ｙth），（ただしＹthは任意の閾値）として取得することを特徴とする請求項１記載の分解４原色量の決定方法である。
【００１２】
また、請求項３に記載の発明にあっては、目的色刺激値等から、該色再現目的色を再現するための分解４原色量の決定装置であって、
（ｈ）目的色刺激値等（Ｘt，Ｙt，Ｚt）を取得する再現目的色取得手段、
（ｉ）該目的色刺激値等（Ｘt，Ｙt，Ｚt）から、光学濃度（ＤL,t，ＤM,t，ＤS,t）を算出する再現目的色濃度算出手段、
（ｊ）該４原色刺激値等である、網点面積率１００％のときの（Ｘi，Ｙi，Ｚi）（ｉ＝ｃ，ｍ，ｙ，ｋ）、および網点面積率ｘi％のときの濃度係数Ｐi（ｘi）（ただし、０≦Ｐi（ｘi）≦１）を取得する原色色特性取得手段、
（ｋ）該４原色刺激値等（Ｘi，Ｙi，Ｚi）から、光学濃度（ＤL,i，ＤM,i，ＤS,i）を算出する原色濃度特性算出手段、
（ｌ）該色再現目的色を再現するための、４原色中の墨量の使用度合いである墨加刷量ｒを単一の所定値（ただし０≦ｒ≦１）として取得する墨加刷率取得手段、
（ｍ）該色再現目的色を再現するための、該４原色の各色の濃度を前記再現目的色濃度（ＤL,t，ＤM,t，ＤS,t）、前記原色濃度（ＤL,i，ＤM,i，ＤS,i）および前記墨加刷量ｒから算出する原色濃度算出手段、
（ｎ）前記（ｊ）で取得した網点面積率ｘi％のときの濃度係数Ｐi（ｘi）、および前記（ｍ）で算出した４原色の各色の濃度より、４原色の網点面積率を算出する原色量算出手段、
以上の（ｈ）〜（ｎ）の全てを具備することを特徴とする分解４原色量の決定装置である（図２参照）。
【００１３】
また、請求項４に記載の発明にあっては、墨加刷量ｒを、目的色刺激値等のうちのＹtの関数ｒ＝０（Ｙt＞Ｙth），ｒ＝１−Ｙt／Ｙth（Ｙt≦Ｙth），（ただしＹthは任意の閾値）として取得することを特徴とする請求項３記載の分解４原色量の決定装置である。
【００１４】
また、請求項５に記載の発明にあっては、目的色刺激値等から、該色再現目的色を再現するための分解４原色量の組み合わせを決定するプログラムを記録したコンピュータ読み取り可能な情報記録媒体であって、
（ｏ）目的色刺激値等（Ｘt，Ｙt，Ｚt）を取得する再現目的色取得ステップ、
（ｐ）目的色刺激値等（Ｘt，Ｙt，Ｚt）から光学濃度（ＤL,t，ＤM,t，ＤS,t）を算出する再現目的色濃度算出ステップ、
（ｑ）該４原色刺激値等である、網点面積率１００％のときの（Ｘi，Ｙi，Ｚi）（ｉ＝ｃ，ｍ，ｙ，ｋ）、および網点面積率ｘi％のときの濃度係数Ｐi（ｘi）（ただし、０≦Ｐi（ｘi）≦１）を取得する原色色特性取得ステップ、
（ｒ）該４原色刺激値等（Ｘi，Ｙi，Ｚi）から、光学濃度（ＤL,i，ＤM,i，ＤS,i）を算出する原色濃度特性算出ステップ、
（ｓ）該色再現目的色を再現するための、４原色中の墨量の使用度合いである墨加刷量ｒを単一の所定値（ただし０≦ｒ≦１）として取得する墨加刷率取得ステップ、
（ｔ）該色再現目的色を再現するための、該４原色の各色の濃度を前記再現目的色濃度（ＤL,t，ＤM,t，ＤS,t）、前記原色濃度（ＤL,i，ＤM,i，ＤS,i）および前記墨加刷量ｒから算出する原色濃度算出ステップ、
（ｕ）前記（ｑ）で取得した網点面積率ｘi％のときの濃度係数Ｐi（ｘi）、および前記（ｔ）で算出した４原色の各色の濃度より、４原色の網点面積率を算出する原色量算出ステップ、
以上の（ｏ）乃至（ｕ）を全て経ることを特徴とする分解４原色量決定プログラムを記録したコンピュータ読み取り可能な情報記録媒体である。
【００１５】
また、請求項６に記載の発明にあっては、墨加刷量ｒを、目的色刺激値等のうちのＹtの関数ｒ＝０（Ｙt＞Ｙth），ｒ＝１−Ｙt／Ｙth（Ｙt≦Ｙth），（ただしＹthは任意の閾値）として取得することを特徴とする請求項５記載の分解４原色量決定プログラムを記録したコンピュータ読み取り可能な情報記録媒体である。
【００１６】
また、請求項７に記載の発明にあっては、目的色刺激値等から、該色再現目的色を再現するための分解４原色量決定プログラムであって、
（ｖ）目的色刺激値等（Ｘt，Ｙt，Ｚt）を取得する再現目的色取得ステップ、
（ｗ）目的色刺激値等（Ｘt，Ｙt，Ｚt）から光学濃度（ＤL,t，ＤM,t，ＤS,t）を算出する再現目的色濃度算出ステップ、
（ｘ）該４原色刺激値等である、網点面積率１００％のときの（Ｘi，Ｙi，Ｚi）（ｉ＝ｃ，ｍ，ｙ，ｋ）、および網点面積率ｘi％のときの濃度係数Ｐi（ｘi）（ただし、０≦Ｐi（ｘi）≦１）を取得する原色色特性取得ステップ、
（ｙ）４原色刺激値等（Ｘi，Ｙi，Ｚi）から、光学濃度（ＤL,i，ＤM,i，ＤS,i）を算出する原色濃度特性算出ステップ、
（ｚ）該色再現目的色を再現するための、４原色中の墨量の使用度合いである墨加刷量ｒを単一の所定値（ただし０≦ｒ≦１）として取得する墨加刷率取得ステップ、
（α）該色再現目的色を再現するための、該４原色の各色の濃度を前記再現目的色濃度（ＤL,t，ＤM,t，ＤS,t）、前記原色濃度（ＤL,i，ＤM,i，ＤS,i）および前記墨加刷量ｒから算出する原色濃度算出ステップ、
（β）前記（ｘ）で取得した網点面積率ｘi％のときの濃度係数Ｐi（ｘi）、および前記（α）で算出した４原色の各色の濃度より、４原色の網点面積率を算出する原色量算出ステップ、
以上の（ｖ）乃至（β）を全て経ることを特徴とする分解４原色量決定プログラムである。
【００１７】
また、請求項８に記載の発明にあっては、墨加刷量ｒを、目的色刺激値等のうちのＹtの関数ｒ＝０（Ｙt＞Ｙth），ｒ＝１−Ｙt／Ｙth（Ｙt≦Ｙth），（ただしＹthは任意の閾値）として取得することを特徴とする請求項７記載の分解４原色量決定プログラムである。
【００１８】
なお、本発明に係る分解４原色量決定プログラムを記録したコンピュータ読み取り可能な情報記録媒体は、特に媒体の形態を限定しなければならないものではなく、また記録や読み取り方式にも関係なく、いわゆるＦＤ、ＣＤ、ＤＶＤ、ＭＯ、磁気テープ、メモリカード、スマートメディア、あるいはチップ等々、いずれでもよい。
【００１９】
【発明の実施の形態】
以下に図面を用いて本発明の一実施形態を説明する。
【００２０】
１．構成
図１は、本発明の一実施形態に関わる原色変換装置の構成を示す説明図である。同図において、１はメモリ、２はＣＰＵ、３はインターフェイス、４は外部記憶装置、５はモニタ、６はキーボード等の入力装置である。
【００２１】
キーボード等の入力装置６は、再現目的色の三刺激値か、または、該三刺激値を変換することにより得られる任意の色特定要素である換算刺激値のいずれかである目的色刺激値等を入力するためのものである。また、墨加刷率の入力にも用いられる。
【００２２】
ＣＰＵ２は、ソフトウェアの働きに基づいて各装置を制御すると共に、下記の各処理を行う。
【００２３】
（あ）再現目的色の三刺激値を濃度に変換する。
なお、この場合三刺激値に代わって、その値に換算性のある値の組みである換算刺激値等を用いるものでも構わないことは当然である。
【００２４】
（い）各原色の網点面積率と三刺激値との関係（以下、原色色特性と記述）から、各原色の網点面積率と濃度との関係（以下、原色濃度特性と記述）を導き出す。
なお、この場合網点面積率と三刺激値との関係を示す原色色特性に代わって、各原色の色特性の値に換算性のある値の組みである４原色刺激値等を用いるものでも、この場合各原色の網点面積率と濃度との関係を示す原色濃度特性に代わって、各原色の色特性の値に換算性のある値の組みである４原色の原色濃度を用いるものでも、構わないことは当然である。
【００２５】
（う）再現目的色を再現するために必要な各原色の濃度を算出する。
【００２６】
（え）各原色の濃度からそれぞれの網点面積率を算出する。
【００２７】
メモリ１は、入力された再現目的色、原色色特性、その他ＣＰＵ２による処理の段階で必要となる変数等を保持するためのものである。
【００２８】
インターフェイス３は、外部記憶装置４、モニタ５、キーボード等の入力装置６と、ＣＰＵ２とのインターフェイスとして用いられる。
【００２９】
外部記憶装置４は、読み出し及び書き込みが可能な記憶装置であり、原色色特性の保持や、算出された原色量の記憶等に用いられる。
【００３０】
モニタ５は、演算の経過や算出された原色量、その他必要な情報を表示するためのものである。
【００３１】
２．動作
以下、本実施形態における原色変換の動作について、図３のフローチャートに基づいて説明する。もちろん、フローチャートの処理内容は結果的に下記動作と均等な動作を実現可能なものであれば、各種変形実施可能であることは当然である。
【００３２】
（フローチャートのｓ１：再現目的色の入力）
再現目的色の三刺激値（Ｘt，Ｙt，Ｚt）を、キーボード等の入力装置６から入力する。このときモニタ５に、入力を促すための表示を行う。入力されたデータは、メモリ１に記憶する。
【００３３】
（フローチャートのｓ２：再現目的色の濃度算出）
再現目的色の三刺激値（Ｘt，Ｙt，Ｚt）を、濃度値（ＤL,t，ＤM,t，ＤS,t）に変換する。三刺激値（Ｘ，Ｙ，Ｚ）から濃度値（ＤL，ＤM，ＤS）への変換は、以下方法により行う。
【００３４】
まず、式１により（Ｘ，Ｙ，Ｚ）を（Ｌ’，Ｍ’，Ｓ’）に変換する。
【００３５】
【式１】
0004075408.tif 000002
【００３６】
（Ｌ’，Ｍ’，Ｓ’）は光に対する人間の錐体の応答をモデル化したものである。式中のＸw，Ｙw，Ｚwはそれぞれ白色点のＸ，Ｙ，Ｚの値を示す。
【００３７】
また、式中の係数０．９６は、次式においてＬ，Ｍ，Ｓの最大値を１．０に正規化するためのものである。
【００３８】
次に、Ｌ＝Ｌ’／｛（１−ｋ1）（１−ｋ2）＋ｋ2Ｌ’｝、Ｍ＝Ｍ’／｛（１−ｋ1）（１−ｋ2）＋ｋ2Ｍ’｝、Ｓ＝Ｓ’／｛（１−ｋ1）（１−ｋ2）＋ｋ2Ｓ’｝の関係式により（Ｌ’，Ｍ’，Ｓ’）から、（Ｌ，Ｍ，Ｓ）を算出する。
【００３９】
この変換は、空気層からインク層へ光が入射する時の反射と、インク内部で散乱された光が再び空気層に射出される時に生じる反射を考慮した、反射率の実測値を補正するためのモデルを、ＬＭＳ空間に適用したものであり、一般にｋ1＝０．０４、ｋ2＝０．６０が用いられる。
【００４０】
最後に、ＤL＝−ｌｎ（Ｌ）／ｌｎ（１０．０）、ＤM＝−ｌｎ（Ｍ）／ｌｎ（１０．０）、ＤS＝−ｌｎ（Ｓ）／ｌｎ（１０．０）により、（Ｌ，Ｍ，Ｓ）から濃度値（ＤL，ＤM，ＤS）を算出する。
【００４１】
以上の各式により、再現目的色の三刺激値（Ｘt、Ｙt、Ｚt）から、濃度値（ＤL,t，ＤM,t，ＤS,t）への変換が行われる。算出された濃度値（ＤL,t，ＤM,t，ＤS,t）は、例えば、メモリ１に記憶する。
【００４２】
（フローチャートのｓ３：原色の色特性の読み込み）
印刷機やプリンタ等、再現目的色を再現する対象となるデバイスにおける各原色の原色色特性を、外部記憶装置４から読み込む。原色色特性は、各原色の網点面積率と三刺激値との対応関係を示すものである。読み込まれた原色色特性は、例えば、メモリ１に記憶される。
【００４３】
（フローチャートのｓ４：原色の濃度特性算出）
各原色の網点面積率が１００％のときの三刺激値（Ｘi，Ｙi，Ｚi）（ｉ＝ｃ，ｍ，ｙ，ｋ）から、原色色特性及び上記各式を用いて濃度値（ＤL,i，ＤM,i，ＤS,i）（ｉ＝ｃ，ｍ，ｙ，ｋ）を算出する。
【００４４】
また、印刷物の色再現特性において濃度の比例性が成り立つとき、原色の網点面積率がｘi％（ｉ＝ｃ，ｍ，ｙ，ｋ）のときの濃度は（Ｐi（ｘi）ＤL,i，Ｐi（ｘi）ＤM,i，Ｐi（ｘi）ＤS,i）（ｉ＝ｃ，ｍ，ｙ，ｋ）と表すことができる。ただし、０≦Ｐi（ｘi）≦１（ｉ＝ｃ，ｍ，ｙ，ｋ）である。
【００４５】
なお、Ｐi（ｘi）（ｉ＝ｃ，ｍ，ｙ，ｋ）は１次元のルックアップテーブルの形でも、多項式近似の形でもよい。
【００４６】
この（ＤL,i，ＤM,i，ＤS,i）（ｉ＝ｃ，ｍ，ｙ，ｋ）及びＰi（ｘi）（ｉ＝ｃ，ｍ，ｙ，ｋ）を、原色濃度特性としてメモリ１に記憶する。
【００４７】
（フローチャートのｓ５：墨加刷率の入力）
墨加刷率ｒを、キーボード等の入力装置６から入力する。このときモニタ５に、入力を促すための表示を行う。入力されたデータは、メモリ１に記憶する。墨加刷率ｒは、再現目的色が（ｃ，ｍ，ｙ，ｋ）の４色で再現されるときにｋの値を一意に決定するためのパラメータであり、０≦ｒ≦１である。
【００４８】
なお、上記ｓ５の処理は、ｓ１〜ｓ４の何れかの処理の前でも構わないことは当然である。但し、後で入力した方が、好ましいｒの値を判断して入力可能であるので、好ましい。
【００４９】
あるいは、墨加刷率ｒは単一の値としなくとも、再現目的色の三刺激値の関数とした方がさらに好ましい。
【００５０】
一般に、画像のハイライト部に墨（ｋ）を用いて再現すると、画像の粒状性が増し、視覚的な画質の劣化が生じるおそれがある。
【００５１】
墨加刷率ｒを、再現目的色の三刺激値（Ｘ，Ｙ，Ｚ）の中で明るさを示す要素であるＹの関数とし、例えばｒ＝０（Ｙ＞Ｙth），ｒ＝１−Ｙ／Ｙth（Ｙ≦Ｙth）の様に設定すれば、任意の閾値Ｙthよりも明るい再現目的色に対して墨（ｋ）の使用を避ける事ができる。
【００５２】
同様に、例えば人間の肌色等、一般に墨（ｋ）の使用することが再現上好ましくない色領域に対しては、三刺激値（Ｘ，Ｙ，Ｚ）またはそこから導出されるＣＩＥＬＡＢの空間内でそれらの色の示す範囲について、墨加刷率ｒの値を減少させるか、あるいは０に設定することも有効である。
【００５３】
この場合のｒは、ＸＹＺ値またはＣＩＥＬＡＢ値の関数とするか、あるいはルックアップテーブルとして参照できる形態にしておけばよい。
【００５４】
また、従来のＵＣＲやＵＣＡ、ＧＣＲ等で行われている、墨版生成の方法を模倣することもできる。
【００５５】
例えばｒ＝０（Ｙ＞Ｙth），ｒ＝１−Ｙ／Ｙth（Ｙ≦Ｙth）の様に設定した場合において、閾値Ｙthの値が小さければスケルトンブラックとなり、大きければＨｉｇｈ  ＵＣＲとなる。また、ｒの値を単一の値としてｒ＝１とすれば、１００％ＧＣＲとなる。
【００５６】
（フローチャートのｓ６：原色の濃度算出）
印刷物の色再現特性における濃度の相加性及び比例性を利用し、再現目的色の三刺激値を再現するために必要な各原色の濃度値を算出する。
【００５７】
印刷物の色再現特性において濃度の相加性及び比例性が成り立つとき、再現目的色の濃度値（ＤL,t，ＤM,t，ＤS,t）は、各原色の１００％のときの濃度値（ＤL,i，ＤM,i，ＤS,i）（ｉ＝ｃ，ｍ，ｙ，ｋ）の線形和で示されるので、式２が成り立つ。
【００５８】
なお、Ｗc，Ｗm，Ｗy，Ｗkは各原色の濃度に対する重みで、０≦Ｗi≦１（ｉ＝ｃ，ｍ，ｙ，ｋ）である。
【００５９】
【式２】
0004075408.tif 000003
【００６０】
最終項を移項し、整理すると、式３の様に表すことができ、さらに、式４の様に表すことができ、３×３の逆行列を再定義すれば、式５の様にと表すことができる。
【００６１】
【式３】
0004075408.tif 000004
【００６２】
【式４】
0004075408.tif 000005
【００６３】
【式５】
0004075408.tif 000006
【００６４】
この行列を展開し、Ｗc＝−（ａ11ＤL,k，ａ12ＤM,k，ａ13ＤS,k）Ｗk＋（ａ11ＤL,t，ａ12ＤM,t，ａ13ＤS,t）、Ｗm＝−（ａ21ＤL,k，ａ22ＤM,k，ａ23ＤS,k）Ｗk＋（ａ21ＤL,t，ａ22ＤM,t，ａ23ＤS,t）、Ｗy＝−（ａ31ＤL,k，ａ32ＤM,k，ａ33ＤS,k）Ｗk＋（ａ31ＤL,t，ａ32ＤM,t，ａ33ＤS,t）と記述すれば、Ｗc，Ｗm，ＷyはＷkの関数とみなせ、Ｗc＝ｆ（Ｗk）、Ｗm＝ｇ（Ｗk）、Ｗy＝ｈ（Ｗk）と表すことができる。
【００６５】
従って、０≦Ｗj≦１（ｊ＝ｃ，ｍ，ｙ）を満たすＷkが、０≦Ｗk≦１の範囲に存在すれば、式２より、再現目的色は分解４原色によって再現することができる。
【００６６】
また、０≦Ｗj≦１（ｊ＝ｃ，ｍ，ｙ）を満たすＷk（０≦Ｗk≦１）の最小値をＷk,min、最大値をＷk,maxとすれば、Ｗk,r＝ｒ（Ｗk,max−Ｗk,min）＋Ｗk,minによりＷkの値を一意に決定することができる。
【００６７】
Ｗk,rはＷkの取りうる範囲の中で一意に決定された値である。また、ｒは墨加刷率で、０≦ｒ≦１の範囲で与えられる。
【００６８】
従って、すでに説明した様に、Ｗc＝ｆ（Ｗk）、Ｗm＝ｇ（Ｗk）、Ｗy＝ｈ（Ｗk）で表せるため、Ｗc，Ｗm，Ｗyの値も一意に決定され、それぞれＷc,t，Ｗm,t，Ｗy,tと表せば、Ｗc,r＝ｆ（Ｗk,r）、Ｗm,r＝ｇ（Ｗk,r）、Ｗy,r＝ｈ（Ｗk,r）となる。
【００６９】
従って、再現目的色を再現するために必要な分解４原色の濃度は、（Ｗi,rＤL,i，Ｗi,rＤM,i，Ｗi,rＤS,i）（ｉ＝ｃ，ｍ，ｙ，ｋ）となる。
これらの値を、メモリ１に記憶する。
【００７０】
墨加刷率ｒを用いた前式より、ブラックの網点面積率は、再現目的色を再現するために必要なブラック量の最小値から最大値の間の値となる。これは、再現目的色を再現するために必要かつ十分なブラックを示す。
【００７１】
このことにより、色再現を行うデバイスの色再現域を最大限に利用することが可能になる。例えば、特開平７−８７３４６号公報に示される方法においては、三刺激値（Ｘ，Ｙ，Ｚ）から導出される彩度Ｃ＊の関数としてブラックを決定しているが、この方法では再現目的色を再現するために必要なブラックの最小値を考慮していないため、色再現の対象となるデバイスの色再現域を最大限に使用することができないという問題点がある。
【００７２】
例えば、ブラック５０％以上でなければ再現できない色を再現目的色とした場合、すなわちこの再現目的色を再現するために必要なブラック（ｋ）の最小値が５０％である場合、特開平７−８７３４６号公報に示される方法においては、ブラックの値をあらかじめ彩度Ｃ＊の関数により決定してしまうため、ブラックの値が５０％未満となってしまう場合には再現目的色を再現する値（ｃ、ｍ、ｙ、ｋ）を求めることができない。
【００７３】
一方、本願発明によれば、この再現目的色を再現するために必要なブラックの最小値を考慮しているため、こうした問題点は回避することが可能になったものである。
【００７４】
（フローチャートのｓ７：原色の網点面積率算出）
それぞれの原色について、前ステップｓ６で算出された濃度に対応する網点面積率を算出する。
濃度と網点面積率の関係は原色濃度特性としてＰi（ｘi）（ｉ＝ｃ，ｍ，ｙ，ｋ）の形でメモリ１に記憶されており、これを用いて濃度を網点面積率へと変換することができる。
得られた原色量（網点面積率）をメモリ１に記憶する。
【００７５】
（フローチャートのｓ８：結果の表示）
算出された原色量を、モニタ５に表示する。また、算出された原色量を外部記憶装置４に保存する。
【００７６】
＜変形例＞
以上本発明の一実施形態を説明したが、それ以外にも例えば次のような変形例も考えられる。
（イ）外部記憶領域としてはハードディスクを用いずとも、ＦＤやＭＯディスク等の記憶媒体を用いることも好ましい。
（ロ）再現させる色の三刺激値をあらかじめファイルとして外部記憶装置に保存し、そのデータを読み出して入力とすることも好ましい
（ハ）再現させる色の三刺激値を段階的に発生させるプログラムをＣＰＵ上で動作させ、そのデータを入力とすることも好ましい
（ニ）入力インターフェイスを介して測色器を接続し、再現させる色を測色することにより、その測色結果を入力とすることも好ましい。
（ホ）入力として、三刺激値を変換して得られる任意の色特定要素を用いることも好ましい。
【００７７】
【発明の効果】
以上説明したように、本発明によれば、印刷物の色再現特性における濃度の相加性及び比例性を利用することにより、再現目的色の三刺激値から、この色を再現するための分解原色量を簡単に、かつ高い精度で求めることができる。
【００７８】
また、墨加刷の程度を任意に設定することにより、再現される色の三刺激値が変化することなく、従来のＵＣＲやＵＣＡ、ＧＣＲ等の技術と同等の効果を得ることもできる。
【００７９】
従って、本発明によって、任意の墨加刷方法のもとに実用上十分な精度で分解原色の量を決定することが可能な分解４原色量の決定方法、及びそれに好適な分解４原色量の決定装置、並びに分解４原色量決定プログラムを記録したコンピュータ読み取り可能な情報記録媒体を提供することができた。
【図面の簡単な説明】
【図１】本発明の分解４原色量の決定装置の一例を示すブロック図である。
【図２】本発明の分解４原色量の決定装置に係る機能ブロック図である。
【図３】本発明の分解４原色量の決定処理を示すフローチャートである。
【符号の説明】
１・・・・・メモリ
２・・・・・ＣＰＵ
３・・・・・インターフェイス
４・・・・・外部記憶装置
５・・・・・モニタ
６・・・・・キーボード等の入力装置
【図１】
0004075408.tif 000011
【図２】
0004075408.tif 000012
【図３】
0004075408.tif 000013